(57)【要約】【課題】簡単な構造で、情報の読み取り、または情報の記録性能と耐震性能が向上し、もって製造時の組み込む精度をフリーにし、光軸調整の工程の簡素化は相当のコストダウンを実現する。【解決手段】光学ピックアップアクチュエータは、光ピックアップレンズと、可動部を可動可能に支持する４本の支持アームと４本の支持アームが支持されるダンパベースと、電磁気力作用により光ピックアップレンズ光軸を移動制御と回動制御する駆動手段と、支持アームの中心部を可動部に連結し、両端部に駆動要素兼バランスウエイトを有し、バランスする中途部を重心点にしてダンパベースの軸孔を揺動可能な支軸としたバランス軸とを備えている。【選択図】図１
2007188618.tif 000002
【特許請求の範囲】
【請求項１】
情報媒体を記録再生する光学式の対物レンズの光軸を含み、該媒体の半径方向と直角な面内で対物レンズを保持した可動部に基準軸［光路の軸線］を設けて第１−１基準盤とし、該第１−１基準盤を所望の一方向（半径方向）に可動可能な少なくとも２本の第１可動軸［支持アームＩ］で連通した平行に連続する一方向側の第２基準盤と、該第１−１基準盤を可動可能な前記第１可動軸［支持アームＩ］で連通した平行な連続する、第１−１基準盤と反対の他方向側に第３基準盤を設け、また該第１−１基準盤に直交する該媒体の接線方向と直角な面内で構成する対物レンズを保持した可動部に基準軸を設けて第１−２基準盤とし、該第１−２基準盤を所望の一方向〈接線方向〉に可動可能な少なくとも２本の第２可動軸［支持アームＩＩ］で連通した平行に連続する一方向側に第４基準盤と、該第１−２基準盤を可動可能な前記第２可動軸［支持アームＩＩ］で連通した平行な連続する、第１−２基準盤と反対の他方向側に第５基準盤を設け、また該第１−１基準盤と該第１−２基準盤の直交角度を二分する２本の対角線上で直角に対向させた該可動部の延伸する部位に順次９０度間隔で第６、第７、第８、第９基準盤を設け、更に該媒体に平行な面内で対物レンズを保持した可動部の重心点に基準軸［光軸と直交する線］を設けて第１−３基準盤とし、該第１−３基準盤を所望の方向（フォーカス方向）に可動可能に保持する該第１可動軸［支持アームＩ］と該第２可動軸［支持アームＩＩ］は該可動部の該第１−１基準盤内と第１−２基準盤内の点対象位置と第１−３基準盤との交点又は該第１−３基準盤と平行で対称な面との交点部位で可動部に固定され、該可動部と該第２基準盤から順次該第５基準盤までを連通する該第１可動軸［支持アームＩ］と該第２可動軸［支持アームＩＩ］上で前記駆動システムにおける重心点となる中途部分に、少なくとも４個のダンパベースと該ダンパベースに設けたバランス支軸で前記駆動システムを全方位でバランスさせ、該可動部を前記の所望３方向への移動手段及び所望の傾角方向への回転手段で回動自在とする中空浮上の支持ワイヤ方式による６軸駆動装置で（フォーカス駆動［ｚ軸］、トラッキング駆動［ｘ軸］、タンジェンシャル駆動［ｙ軸］の移動手段と、ラジアルチルト駆動、タンジェンシャルチルト駆動、フォーカス駆動［ｚ軸］軸回りで光軸点を基点とする円錐柱の円周駆動の回動手段）情報記録媒体への記録・再生における応答追随・応答伝達制御を前記６軸駆動手段で、かつ６軸方向における全要素質量の平衡を取ったバランス支持方式で行うことを特徴とする６軸バランス型光ピックアップアクチュエータ（以下光ピックという）は以下を含み構成される。
（１）対物レンズと可動部、可動部に巻回したフォーカスコイルと可動部の延伸部に設けたボビンに巻回したラジアルチルトコイルとタンジェンシヤルチルトコイル、第１可動軸［支持アームＩ］に設けた第２基準盤と第３基準盤のボビンに巻回したラジアルコイルと第２可動軸［支持アームＩＩ］に設けた第４基準盤と第５基準盤のボビンに巻回したタンジェンシャルコイル、前記各要素コイルと対峙し、該可動部の外側に設けられた永久磁石、該可動部を中空で可動自在に固定する第１可動軸と、該第１可動軸と直交する第２可動軸を形成する其々の支持アームＩとＩＩ、該支持アームの可動自在を可能に支持して該可動部を中空に浮上させ、かつ該光ピックの駆動手段全体を重力に抗して質量バランスさせるとともに、６軸駆動手段における駆動力バランスをも担うダンパベースのバランス支軸、支持アームに設けた第２基準盤と第３基準盤と第４基準盤と第５基準盤の移動制御における駆動手段、また可動部に設けた第６基準盤と第７基準盤と第８基準盤と第９基準盤の回転制御における駆動手段とを、対物レンズ光軸を外乱の影響を排除しながら、所望の光軸制御を実行する技術要素として、該対物レンズの光軸部から対称位置となる外側へと順次設けて構成した構造。
（２）対物レンズを保持した可動部のレンズ光軸を該光軸と平行の重力方向への光軸移動制御〈フォーカス方向；ｚ軸〉と光軸と直交する方向の光軸移動制御（トラッキング方向；ｘ軸とタンジェンシャル方向；ｙ軸）及び光軸の回動制御［ラジアル軸回り；ｘ軸の回転とタンジェンシャル軸回リ；ｙ軸の回転と光軸；ｚ軸を中心とする円周回転］に起因して、第１−１，１−２，１−３基準盤〈以下、第１基準盤と称す〉の慣性移動を第２基準盤と第３基準盤と第４基準盤と第５基準盤と第６基準盤と第７基準盤と第８基準盤と第８基準盤と第９基準盤の少なくとも２個の基準盤に設けた等価質量で、第１基準盤が保有する全質量と質量平衡をとり、内部発生の振動や外部振動・衝撃の影響を抑止する構造。
（３）前記（２）で、第２から第９基準盤の少なくとも３個の基準盤に設けた等価質量で構成する構造。
（４）前記（２）で、第２から第９基準盤の少なくとも４個の基準盤に設けた等価質量で構成する構造。
（５）前記（２）で、第２から第９基準盤の少なくとも５個の基準盤に設けた等価質量で構成する構造。
（６）前記（２）で、第２から第９基準盤の少なくとも６個の基準盤に設けた等価質量で構成する構造。
（７）前記（２）で、第２から第９基準盤の少なくとも７個の基準盤に設けた等価質量で構成する構造。
（８）前記（２）で、第２から第９基準盤の少なくとも８個の基準盤に設けた等価質量で構成する構造。
（９）前記（２）で、第２から第９基準盤の少なくとも９個の基準盤に設けた等価質量で構成する構造。
（１０）第１基準盤の質量におけるダンパベースのバランス支軸を支点に第１可動軸と第２可動軸をアーム長として、駆動推力や重力を起因とした不平衡による回転モーメントの発生を抑制する為に、該支点の第１基準盤より外側に延在する支持アームＩと支持アームＩＩの所定位置に第２から順次第５基準盤まで設け、該第１基準盤の総質量と該支点回りの回転モーメントと〈第２＋第３＋第４＋第５の基準盤の質量×支持アームＩとＩＩの長さの合算値〉の総質量と該支点回りの回転モーメントを等価に設定し、更に該支持アームに伝達する微振動を制振するダンパ材をダンパベースに設けたバランス支軸に塗布し、該支軸を駆動装置全体の重心位置並びに第１基準盤のレンズ光軸を中心とする対称位置で設定し、又可動自在となるように該支持アームと概同等径の軸孔にし、該軸孔の両端部を円錐柱状形状にして支持アームの両端をフリー状態で貫通し、支持アームの平行移動と軸回転移動の自在可動を可能にした構造の為  、第１基準盤の各駆動力による不平衡な回転モーメントの発生を零に出来るので、第１基準盤のレンズ光軸に傾角が発生せず、又第１基準盤の重力加速度を零して外部振動・衝撃に強くし結果、バイアス電圧を零にする構造。
（１１）支持アームＩと支持アームＩＩは、直交する第１−１基準盤と第１−２基準盤と第１−３基準盤が直交する可動部の重心点を通る平面が可動部の外形部と交わって直交する少なくとも４点か、前記４点を基準にｚ軸方向での対称点かつ該重心を基準にした点対称を満たした少なくとも４点で、それぞれは第１−１基準盤と第１−２基準盤と第１−３基準盤上の少なくともその一つの上に固持されてなる、レンズ光軸を所望の方向に保持して推力駆動し、直交する支持アームＩとＩＩのバネの復元力で中立点復帰する構造。
（１２）フォーカス駆動手段は、情報媒体と水平方向に可動部の外周面に巻回されて保持したフォーカスコイルと可動部の外周側で固定基盤に固定された永久磁石との間の電磁力でｚ軸方向に追随する駆動構造。
（１３）トラッキング駆動手段は、支持アームＩをダンパベースの軸孔にダンパ材と塗布して貫通させた両端部に設けた第２基準盤と第３基準盤のボビンに、情報媒体と垂直方向に巻回されて保持したトラッキングコイルと該永久磁石との間の電磁力で追随する駆動構造。
（１４）タンジェンシャル駆動手段は、支持アームＩＩをダンパベースの軸孔にダンパ材を塗布して通過させた両端部に取付けた第４基準盤と第５基準盤に情報媒体と垂直方向に巻回されて保持したタンジェンシャルコイルと該永久磁石との間の電磁力で追随する駆動構造。
（１５）ラジアルチルト駆動手段とタンジェンシャルチルト駆動手段は、対物レンズを搭載する可動部の外形で支持アームＩと支持アームＩＩが情報媒体と平行な面内で形成する四辺形の対角線上の、レンズ光軸を直角に交差させる２本の対角線を各チルトの可動基軸にして、該可動基軸上の延在する位置にコイルボビンを対向する２個を２組設け、情報媒体と水平方向に巻回されて保持した計四個のチルトコイルと該リング磁石との電磁力で、２本の対角する該可動基軸をチルト基準線にして、ラジアル方向とタンジェンシャル方向の回転制御と光軸方向であるｚ軸回りで、情報媒体の水平面内を円周回転のチルト制御をして追随する駆動構造。
【発明の詳細な説明】
【技術分野】
【０００１】この発明は、記録媒体上に記録された情報を読み取り、又は情報を記録する光学ピックアップレンズアクチュエータ（以下光ピックという）において、高密度情報を追尾し、高速度で伝送を行う時の、レーザスポット品質とレーザ光軸を最適に制御する駆動装置に関する発明である。
【背景技術】
【０００２】従来型の光学ピックアップレンズの駆動装置は、方式上振動・衝撃に弱く、例えば特開平１０−２１５６２号公報のように、光ピックアップレンズを搭載する可動部材を４本の支持ワイヤにより可動可能に片持ち支持し（それ故レンズ搭載可動子の質量を重力に抗した手段が不備）永久磁石と駆動コイルとによる電磁気力作用により可動部材に備えられる該レンズをフォーカシング方向とトラッキング方向に移動制御し、また、高性能の光ピックは情報媒体のラジアル方向の反りに対応して、光軸の角度を調整する制御機能を備えて、記録媒体上に記録された情報を読み取り、情報を記録する考案がなされているが、更なる媒体の高密度化記録に呼応し、情報媒体のタンジェンシャル方向に移動制御し、かつタンジェンシャル方向の反りに対応して光軸の角度を調整する制御機能を備え、前記の全駆動手段の光ピックにおいて、質量及び駆動のバランス機構を備えて、耐振動・衝撃に強い対策設計を施した光ピックの考案はなされていなかった。【０００３】ところで、今後期待される大容量の記録媒体である、ＤＶＤ，ＨＤＤ，ＢＲＤの高密度記録媒体等は、高速伝送性能が求められる為、可動レンズ部を軽量化し、慣性力の小さい作りに力点が置かれ、生産性の観点で光ピックの９０％超が４本の支持ワイヤ方式であり、又主駆動方向（フォーカス、トラッキング）のみの制御である為、該媒体の反りに対応できず、情報の密度化に比例しデータエラーが起き易くなっている。【０００４】しかも、従来型の４ワイヤ方式は外部衝撃に弱く、Ｇセンサ、予備ＩＣメモリ等の付加によりデータの欠落を防止して連続性を確保している。又微弱振動に対しては、防振ダンパゴム等を用いている。
【特許文献１】特開平１０−２１５６２号
【発明の開示】
【発明が解決しようとする課題】
【０００５】ところで、従来の４ワイヤ方式の光学ピックアップレンズ駆動装置においては、外部振動、衝撃対策としてＧセンサ、予備ＩＣメモリ等によりデータの連続性を確保するものでは、構造が複雑であり、又微弱振動に対しては、防振ダンパゴム等を用いるものは、充分な防振効果が得られず、余分なコスト増と省スペースの点で課題を残す方式である。この為、小型化や高密度記録媒体に記録された情報を読み取り、又は情報を記録するのに、困難となっている。また、高密度記録媒体となると、レーザ光軸をフォーカス、トラッッキングのみの制御機能から、トラックの接線方向のタンジェンシャル可動軸とラジアルチルトとタンジェンシャルチルトと光ディスク記録面の全方位追尾機能を付加し、かつ耐震性に強い機構が求められる。【０００６】この発明は、これらの点を全て解決したもので、簡単な構造で情報の読み取り、又は情報の記録性能が向上する光学ピックアップアクチュエータを提供することを目的とする。
【課題を解決する為の手段】
【０００７】前記課題を解決し、かつ目的を達成する為にこの発明は、以下のように構成した。
本発明は、光ピックアップレンズと可動部材を可動可能に支持する２本の支持ワイヤと該ワイヤと直交する２本の支持ワイヤと前記の合計４本の支持ワイヤが支持されるダンパベースと電磁気力作用により光ピックアップレンズを移動制御と回転制御（フォーカスとトラック半径方向とトラック接線方向の移動駆動及びトラックラジアルチルトとトラックタンジェンシャルチルトとフォーカス軸の３６０度垂直制御機能の円周回転の駆動をする６駆動手段と、前記２組の各２本づつの支持ワイヤの両端に各バランスウェイトを兼ねる機能の駆動手段を有し、該２組の２本づつの支持ワイヤの中心部を、レンズ中心を通って直交する可動部の４箇所に支持し、該可動部に該各２対の直交した支持ワイヤの支持点間の９０度領域内を２分する、対角位置に対称に設けた４個のチルト駆動手段とを備え、更に該レンズを該可動部に搭載した総重量が各バランスウエイトとバランスする該支持ワイヤの４箇所の中途部を駆動システムの重心点として、揺動可能に軸支したたことを特徴とする光ピックアップアクチュエータ（以下、光ピックという）である、以後、具体的に説明する。
【０００８】光ピックの特徴は、該レンズの直交する２本の直径線が該可動子部全体の重心点を通り、外周と交差する４点を平行する該各２本の支持ワイヤを直交させた２組の該支持ワイヤで支持し、該各支持ワイヤの１組目の両端部に設けたコイルボビンに一対のトラッキング駆動コイルと、残りの１組目の両端部に設けたコイルボビンに一対のタンジェンシャル駆動コイルとが、該可動子部全体の３次元方向での質量モーメントと等価になる点をダンパベースの軸孔を自在可動の支軸とし、光ピック全体の重心点とすることで、耐震性を飛躍的に向上させ、種々の外乱にも強くしているのが特徴で、３方向の移動駆動（フォーカス、トラッキング、タンジェンシャル）及び２軸（トラッキングとタンジェンシャル）回転駆動と１軸（フォーカス）３６０度の円周回転による垂直補正機能によるチルト制御の駆動手段で駆動のバランスをとり、なお前記の質量バランスとを同時性で実現している。
【０００９】光ピックは、レンズをフォーカス方向及びトラッキング方向に移動させる際、レンズがレーザ光の光軸に対して傾かないように、上下及び左右に平行移動させている。その理由は、レンズと対向配置される光ディスクの信号記録面が、水平面を持っていることを前提に製造されているからある。しかしながら、実際の光ディスクは、反りをもっている。その為、従来の光ピックでこのような反りが生じている光ディスクから信号を読み込んだり、信号を書き込む際に、光ディスクのレーザ光の照射位置で、光ディスクとレンズとが互いに非平行になってしまう。すなわち、光ディスクの信号記録面上のレーザスポットの形状が所望の形状から変形してしまい、レーザスポットの形状が劣化してしまう。つまり、光ディスクの信号記録面とそれに照射されるレーザ光（レンズ）の光軸とのずれに起因して信号劣化を引き起こしてしまう。
この問題を解決する為に、光ディスクの反りにより信号記録面に対してレーザ光が傾くことで発生する波面収差を補正する為レンズを傾けたり、反りのある光ディスクの信号記録面に対してレーザ光を垂直に照射する為に光ピック全体を傾ける必要がある。すなわち、回転する光ディスクの反り量の変化に対応して、傾いて照射されるレーザ光の光軸の傾きを補正する必要がある。方法として、以下の３通りが採用されている。
【００１０】第１の従来方法は、レンズを保持する可動子にラジアルチルト補正用のコイルを配設し、光ディスクの反り量に対応して可動子を傾ける方法である。この場合、支持ワイヤを光軸回りにねじることとなり、４本の支持ワイヤは一端部をベースに固定し、他端部で可動部を支持する構造の為、変則なストレスがかかる。この状態で、光ピックにフォーカスサーボやトラッキングサーボを掛けるとレンズに通常起こり得ない新たな共振が発生する。その結果、両サーボ特性に劣化が生じてしまう。
【００１１】第２の従来方法は、光ピック自体を光ディスクの半径方向に沿って摺動するスレッド機構のスライドシャフトを、光ディスクの反り量に対応して傾ける方法である。この場合のアクセス性は良くない。
【００１２】第３の従来方法は、前記スレッド機構全体を光ディスクの反り量に対応して傾ける方法である。
第１と第２の場合、いずれもチルト駆動機構が必要であり、被駆動体の重量が重いので、光軸の傾きを高速に補正するレスポンス性能は悪く、高消費電力型でコスト増、及び駆動時の振動でレンズのローリングを招く。
【００１３】ところで、前記光ディスクの反りは種々のものがある。光ディスクのラジアル方向に沿った反りとタンジェンシャル方向に沿った反りである。
【００１４】従来提案されている光ディスクの反り対策は、全て光ディスクのラジアル方向に沿った反りのみを考慮したもので、タンジェンシャル方向に沿った反りについては考慮しておらず、ましてや光ディスクの信号記録面に対してレーザ光を３６０度の全方位円周角における全域で垂直に照射する回転制御機能と光ディスクのタンジェンシャル方向に沿った光軸を移動させる駆動制御を有する光ピックの存在は、実存しない。
それ故、現行の製造工程は光ディスクのラジアル軸上と光軸を一致させる為に、組み付け精度に依存する調整作業を行なってサーボ特性を確保しているのであり、調整費が製造コスト増を招いているのが実情である。
【００１５】本発明の特徴は、レンズ光軸を内部・外部の種々の外乱の影響から防御し、支持ワイヤをねじらず、低消費電力でラジアルとタンジェンシャルとフォーカス軸回りの３６０度の円周領域の反りに対して、高速でレーザ光軸の傾きを補正し、更にタンジェンシャル方向に沿った時間軸制御の駆動手段を有する点である。
【００１６】以上、前記［００１５］の特徴は、前記［０００７］と［０００８］の手段で全てが実現される。
【発明の効果】
【００１７】前記構成により、本発明は以下のような大きな二つの効果を簡単な構造で実現できる。
【００１８】一つは、支持ワイヤの中心部を可動部材に支持し、両端にバランスウエイト兼駆動手段を有し、バランスする中途部をダンパベースの可動軸孔を介して可動可能に軸支したバランス支軸［該バランス支軸は該アクチュエータの重心点を成す］を備えた構成で、該可動部材にレンズを搭載した光ピックは、外部振動、衝撃、内部回転のメカ振動と媒体の回転で発する風圧等及び各方向の不平衡駆動によってレンズが受ける慣性移動と慣性回転力を相殺出来、全外乱を平衡させるので高速情報処理の精度が上がる。又重力に抗する電力を不要にする平衡構造型である。
【００１９】二つ目は、永久磁石を固定側に設け、駆動コイルを可動部材側と支持ワイヤの両端部に駆動軸孔を境界とする良好な質量配分をして設け、重心点である駆動軸孔を介する電磁気作用により、レンズをフォーカス、トラック、タンジェンシャル方向への光軸移動制御とラジアルとタンジェンシャルを含む全方位の３６０度の角度で光軸回転制御ができる、微調整駆動手段を備えることで、超高精度な光ピックアップレンズの光軸制御が可能である。また、本発明において、駆動コイルを固定側にして可動部材側に永久磁石を設けても同じである。
【発明を実施するための最良の形態】
【００２０】以下、本発明の光ピックの実施の形態を図面に基づいて説明するが、本発明の実施の形態は、発明の最も好ましい形態を示すもので、必ずしもこの実施の形態に限定されず、また発明の用語もこれに限定されない。【００２１】第１の実施の形態を、図１乃至図６に基づいて説明する。図１は光ピックの平面図、図２は光ピックの側面図、図３はダンパベースのバランス支軸を示す断面図、図４は可動部と支持ワイヤとバランス支軸と光軸を主駆動方向に移動制御する駆動手段を示す断面図、図５は可動部材と支持ワイヤとバランス支軸と光軸を回転駆動し、チルト制御する駆動手段を示す断面図である。【００２２】本実施の形態の光ピックは、光ピックアップレンズ１、可動部２、フォーカス駆動手段２−１、永久磁石３、チルト駆動手段４−１，２，３，４、トラッキング駆動手段５−１，２、タンジェンシャル駆動手段６−１，２、ダンパベース（バランス支軸）７−１，２，３，４，５，６，７，８、支持ワイヤ・トラッキング駆動８−１，２、支持ワイヤ・タンジェンシャル駆動９−１，２、チルト対角線軸［仮想線］１０−１，２、固定基盤１１、等を備える。【００２３】該レンズ１は、記録媒体上に記録された情報の読み取りと書き込みをし、可動部材２に搭載される。【００２４】可動部は、フォーカス駆動手段とチルト駆動手段とが設けられて、４本の支持ワイヤによって可動可能に支持されている。該４本の支持ワイヤは、一対の２組に分かれて直交する配列で各々一対同士は、左右位置の上下の対角線位置に配置され、中心部が可動部材に固定され、二対の両端部にトラッキング駆動手段とタンジェンシャル駆動手段が設けられ、本光ピックの重心を成す支持ワイヤ上のポイントをダンパベースのバランス支軸を成す軸孔に貫通して可動部を中空固定し、可動部をフォーカス方向の上下移動［ｚ軸］とトラッキングとタンジェンシャル方向の２軸平行移動［ｘ軸、ｙ軸］及びレーザ光軸をｚ軸に対して３６０度の円周回転で角度補正をする為に、円錐柱形状の回転駆動とｘ軸とｙ軸回りで角度補正する回転駆動を可能ならしめる支持構造で保持されている。【００２５】駆動手段は、永久磁石と各駆動コイルを有し、電磁気力作用により光ピックのレンズをフォーカス方向、トラック方向、タンジェンシャル方向の移動制御とｚ軸を中心とする３６０度全方位円周回転で角度補正とｘ軸、ｙ軸回りの角度補正の回転制御をする。この実施では、永久磁石はリング形状で固定基盤に固定されている。【００２６】駆動コイルは、フォーカス駆動コイルと対象位置の一対のトラック駆動コイル、同一対のタンジェンシャル駆動コイルとレーザ光軸を通り直交する２本の対角線上に設けた４個のチルト駆動コイルを有する。フォーカス駆動コイルは、可動部に巻回されてリング磁石の内側に対向配置される。トラック駆動コイルとタンジェンシャル駆動コイルは、直交した各一対の支持ワイヤの両端部に設けたコイルボビンに巻回されて、リング磁石の外側で対向配置される。チルト駆動コイルは、可動子に一体的に設けた該２対角線上のコイルボビンに巻回されて、リング磁石の外側で対向配置される。各駆動手段による駆動力は、フレミングの左手の法則に従って駆動制御される。【００２７】バランス軸は、固定基盤から立ち上げた８個のダンパベースに仕組まれており、４本の支持ワイヤを支持する支持ワイヤと概同径の軸孔を有し、該軸孔を形成する両側は円錐柱形状を成している為、支持ワイヤを貫通した状態では点接触で当接し、可動部を支持した支持ワイヤはバランス支軸の軸回りの回動と支軸点を基点とする水平方向の移動が規制されず、フリーな揺動可能となり、また支持ワイヤーの弾性機能によって回動量及び移動量に応じての復元力が働いて、光ピックを常に始動時の動作中立点に自動復帰できる。更に該バランス軸は、［００２６］の可動部の総質量と支持ワイヤに設けたトラック駆動手段とタンジェンシャル駆動手段の合算質量と等価にして重心点での可動が可能にしてある為、外部振動、衝撃による慣性モーメントをバランス支軸によりバランスさせることが出来、６軸駆動制御の手段は、次世代情報媒体が更なる高密度化された際予想する誤差を追尾制御するのに充分な機能であり、高精度な光ピックのレンズ応答伝達制御を可能にする。バランス支軸はダンパ材が塗布される。【００２８】以上、本実施形態は、バランス支軸を介した６軸駆動手段を備えた光ピックであり、その特性より外部及び内部振動、衝撃による慣性モーメントをバランスさせることが出来、簡単な構造で高密度な情報の読み取りと書き込み性能を向上させることができる。また、Ｇセンサやそれに伴う補助メモリの容量の削減、記録媒体の精密制御による記録密度の向上、エラーレートの向上、電力消費量の低減、衝撃に耐えることが要求される機器への応用等は、システムコストの減少に直結できる要素の多くを含むため、その効果に期待が持たれている。
【産業上の利用可能性】
【００２９】本光ピックの、簡単な構造での情報の読み取り、書き込み性能の向上と、耐振性能は、高密度記録媒体・高速情報伝送機器向け、モバイル機器向けなどあらゆる大量の情報処理時代に必要な機器に搭載が期待される。
【図面の簡単な説明】
【００３０】
【図１】光ピックの平面図である。
【図２】光ピックの側面図である。
【図３】ダンパベースのバランス支軸を示す断面図。
【図４】可動部と支持ワイヤとバランス支軸と光軸を主駆動方向に移動制御する駆動手段を示す断面図。
【図５】可動部と支持ワイヤとバランス支軸と光軸を回転駆動し、チルト制御する駆動手段を示す断面図である。
【符号の説明】
【００３１】１・・・光ピックアップレンズ
２・・・可動部
２−１・・・フォーカス駆動手段［駆動用コイルは対向する永久磁石の形状に沿った設計でも良い］
３・・・永久磁石
４−１，２，３，４・・・チルト駆動手段［駆動用コイルは対向する永久磁石の形状に沿った設計でも良い］
５−１，２・・・トラッキング駆動手段［駆動用コイルは対向する永久磁石の形状に沿った設計でも良い］
６−１，２・・・タンジェンシャル駆動手段［駆動用コイルは対向する永久磁石の形状に沿った設計でも良い］
７−１，２，３，４，５，６，７，８・・・ダンパベース（バランス支軸）
８−１，２・・・支持ワイヤ・トラッキング駆動
９−１，２・・・支持ワイヤ・タンジェンシャル駆動
１０−１，２・・・チルト対角線軸［仮想線］
１１・・・固定基盤
【図１】
2007188618.tif 000003
【図２】
2007188618.tif 000004
【図３】
2007188618.tif 000005
【図４】
2007188618.tif 000006
【図５】
2007188618.tif 000007